(57)【要約】【課題】当初のサムネイルの並びを確認できる状態で、ユーザーが所望する画像を選択したり、ユーザーが所望する順でサムネイルを並べたりすることができる画像表示装置を提供すること。【解決手段】図６（ａ１）に示すように、変更前サムネイル列の左から２番目がタッチされ、そのまま所定の軌跡を辿り、変更後サムネイル列の左から３番目でタッチが離されると、図６（ａ２）に示すように、変更前サムネイル列のサムネイルの表示は維持されたまま、変更後サムネイル列の左から３番目に、変更前サムネイル列の左から２番目に表示されていたサムネイルが追加表示される。【選択図】図６
2008301255.tif 000002
【特許請求の範囲】
【請求項１】
記憶手段に記憶された各画像について、第１のサムネイル列での表示順との対応情報を管理し、かつ、第２のサムネイル列での表示順との対応情報を管理する管理手段と、
その管理手段で管理される対応情報に従い、前記各画像のサムネイルを、各画像の表示順に対応する表示領域に表示した第１のサムネイル列と、前記各画像のサムネイルを、前記第１のサムネイル列とは異なる領域であり、各画像の表示順に対応する表示領域に表示した第２のサムネイル列として表示手段に表示する表示制御手段と、
第１のサムネイル列に関する各画像のうち所定の画像を、第２のサムネイル列に関する所定の表示順の画像の一つとして追加する指示を受け付ける受付手段とを備え、
前記管理手段は、前記受付手段により指示が受け付けられたことを条件として、その受付手段で受け付けた指示に従って、前記第２のサムネイル列に関する対応情報を更新し、
前記表示制御手段は、第２のサムネイル列に関する対応情報が更新されたことを条件として、第１のサムネイル列の表示を維持したまま、前記管理手段で管理される対応情報に従い、第２のサムネイル列と第１のサムネイル列とを表示手段に表示することを特徴とする画像表示装置。
【請求項２】
前記管理手段は、前記各画像と、その各画像のサムネイルが表示される表示手段上の表示領域との対応情報を管理し、
前記受付手段は、第１のサムネイル列が表示されている表示領域への直接入力がなされ、引き続き、第２のサムネイル列が表示されている表示領域への直接入力がなされた場合に、直接入力がなされた第１のサムネイル列が表示されている表示領域に対応する画像を、直接入力がなされた第２のサムネイル列が表示されている表示領域に対応する表示順で、第２のサムネイル列に関する画像の一つとして追加する指示として受け付けることを特徴とする請求項１に記載の画像表示装置。
【請求項３】
前記管理手段は、初期状態において、前記各画像それぞれが、いずれかの表示順と対応することを示す対応情報を、前記第１のサムネイル列に関する対応情報として管理し、前記各画像それぞれが、いずれの表示順とも対応しないことを示す対応情報を、前記第２のサムネイル列に関する対応情報として管理し、
前記表示制御手段は、初期状態において、初期状態における管理手段が管理する対応情報に従い、第２のサムネイル列の表示領域を空けたまま、第１のサムネイル列を表示手段に表示することを特徴とする請求項１又は２に記載の画像表示装置。
【請求項４】
前記管理手段は、初期状態において、前記各画像それぞれが、いずれかの表示順と対応することを示す対応情報を、前記第１のサムネイル列に関する対応情報として管理し、前記第２のサムネイル列に関する対応情報を、前記第１のサムネイル列に関する対応情報と同じ状態で管理し、
前記表示制御手段は、初期状態において、初期状態における管理手段が管理する対応情報に従い、第２のサムネイル列と第１のサムネイル列とを表示手段に表示することを特徴とする請求項１又は２に記載の画像表示装置。
【請求項５】
前記表示制御手段は、前記第２のサムネイル列に表示するサムネイルに、その第２のサムネイル列に関する各画像の第１のサムネイル列における表示順を示す変更前順番情報を対応つけて表示手段に表示することを特徴とする請求項１から４のいずれかに記載の画像表示装置。
【請求項６】
第２のサムネイル列を、第３のサムネイル列に切替える指示を受け付ける切替受付手段を備え、
前記管理手段は、前記各画像について、第３のサムネイル列での表示順との対応情報を管理し、
前記表示制御手段は、前記管理手段で管理される対応情報に従い、前記各画像のサムネイルを、各画像の表示順に対応する表示領域に表示した第３のサムネイル列として表示手段に表示し、
前記受付手段は、第１または第２のサムネイル列に関する各画像のうち所定の画像を、第３のサムネイル列に関する所定の表示順の画像の一つとして追加する指示を受け付け、
前記管理手段は、前記受付手段により指示が受け付けられたことを条件として、前記受付手段で受け付けた指示に従い、第３のサムネイル列に関する対応情報を更新し、
前記表示制御手段は、前記切替指示受付手段による指示を受け付けたことを条件として、第１のサムネイル列の表示を維持したまま、前記管理手段で管理される対応情報に従い、第２のサムネイル列を第３のサムネイル列に切替え、第３のサムネイル列と第１のサムネイル列とを表示手段に表示することを特徴とする請求項１から５のいずれかに記載の画像表示装置。
【請求項７】
前記管理手段は、前記各画像と、その各画像のサムネイルが表示される表示手段上の表示領域との対応情報を管理し、
前記受付手段は、第１のサムネイル列が表示されている表示領域への直接入力がなされ、引き続き、第１および第２のサムネイル列が表示されている表示領域以外の表示領域への直接入力がなされた場合に、直接入力がなされた第１のサムネイル列が表示されている表示領域に対応する画像を、第３のサムネイル列に関する画像の一つとして追加する指示として受け付けることを特徴とする請求項６に記載の画像表示装置。
【請求項８】
前記受付手段は、第２または第３のサムネイル列のいずれかが表示されている表示領域への直接入力がなされ、引き続き、同じ表示領域へ直接入力がなされた場合に、その直接入力がなされた表示領域に対応する画像を削除する指示として受け付けることを特徴とする請求項１から７のいずれかに記載の画像表示装置。
【請求項９】
前記管理手段で管理される対応情報に従い、前記第２および第３のサムネイル列毎に、その各サムネイル列毎に関する画像を前記表示手段に順番に表示させるスライド表示制御手段、または、一つのファイルにまとめて格納するファイル作成手段、または、印刷する印刷手段、または、ファクシミリ送信するファクシミリ送信手段を備えていることを特徴とする請求項１から８のいずれかに記載の画像表示装置。
【発明の詳細な説明】
【技術分野】
【０００１】
本発明は、サムネイルを表示、並び替えすることができる画像表示装置に関するものである。
【背景技術】
【０００２】
従来より、複数の画像データの各々から作成される各サムネイルを表示する表示手段を備えた画像表示装置が知られている。この画像表示装置に関し、次の特許文献１には、ディスプレイ部３２に所定の順番で並べられているサムネイル画像の中から、ユーザーによって選択されたサムネイル画像は、選択されていないサムネイル画像と峻別可能に表示する。そして、ユーザーによって設定終了ボタンＢＴ１０が押下された場合には、サムネイル画像の選択が終了したとして、ユーザーにより選択されたサムネイル画像と選択されていないサムネイル画像とをそれぞれ纏めて並び替えて（ソートして）表示する技術が開示されている。
【特許文献１】特開２００５−１０９９０７号公報（段落第「０１２３」、図９，図１０等）
【発明の開示】
【発明が解決しようとする課題】
【０００３】
しかしながら、上述した特許文献１に開示されている技術では、サムネイル画像が並び替えられた後は、当初のサムネイル画像の並びが分からない。ユーザーが並び替えて表示されたサムネイル画像の並びを、再度、並び替えたい場合には、当初のサムネイル画像の並びを思い出しながら、並び替えるしかない。
【０００４】
ここで、当初のサムネイル画像の並び順を考えてみる。画像表示装置は、複数の画像データを、作成日時順、撮影日時順、ファイル名順、サイズ順等、何らかの意味を持った条件で並べて表示することが一般的である。
【０００５】
このように、何らかの意味を持った条件で並べられているために、ユーザーは、並べらえた複数の画像の表示順に基づいて（「この画像は何日に撮影したものだ、だから、撮影日付順で、この画像以降に並んだ画像の中から対象の画像を選択し、良い順に並べてみよう」などとあたりを付けて考えることができるので）、所望のサムネイル画像を容易に選択したり、所望の並び順で並べたりすることができる。
【０００６】
特許文献１のように、当初のサムネイル画像の並びが分からなくなってしまった状態では、ユーザーは、所望のサムネイル画像を容易に選択したり、所望の並び順で並べたりするための有力な情報を失ってしまうことになるという問題があった。
【０００７】
本発明は上述した問題点を解決するためになされたものであり、当初のサムネイルの並びを確認できる状態で、ユーザーが所望する画像を選択したり、ユーザーが所望する順でサムネイルを並べたりすることができる画像表示装置を提供することを目的としている。
【課題を解決するための手段】
【０００８】
この目的を達成するために、請求項１記載の画像表示装置は、記憶手段に記憶された各画像について、第１のサムネイル列での表示順との対応情報を管理し、かつ、第２のサムネイル列での表示順との対応情報を管理する管理手段と、その管理手段で管理される対応情報に従い、前記各画像のサムネイルを、各画像の表示順に対応する表示領域に表示した第１のサムネイル列と、前記各画像のサムネイルを、前記第１のサムネイル列とは異なる領域であり、各画像の表示順に対応する表示領域に表示した第２のサムネイル列として表示手段に表示する表示制御手段と、第１のサムネイル列に関する各画像のうち所定の画像を、第２のサムネイル列に関する所定の表示順の画像の一つとして追加する指示を受け付ける受付手段とを備え、前記管理手段は、前記受付手段により指示が受け付けられたことを条件として、その受付手段で受け付けた指示に従って、前記第２のサムネイル列に関する対応情報を更新し、前記表示制御手段は、第２のサムネイル列に関する対応情報が更新されたことを条件として、第１のサムネイル列の表示を維持したまま、前記管理手段で管理される対応情報に従い、第２のサムネイル列と第１のサムネイル列とを表示手段に表示する。
【０００９】
請求項２記載の画像表示装置は、請求項１に記載の画像表示装置において、前記管理手段は、前記各画像と、その各画像のサムネイルが表示される表示手段上の表示領域との対応情報を管理し、前記受付手段は、第１のサムネイル列が表示されている表示領域への直接入力がなされ、引き続き、第２のサムネイル列が表示されている表示領域への直接入力がなされた場合に、直接入力がなされた第１のサムネイル列が表示されている表示領域に対応する画像を、直接入力がなされた第２のサムネイル列が表示されている表示領域に対応する表示順で、第２のサムネイル列に関する画像の一つとして追加する指示として受け付ける。尚、この請求項でいう「直接入力がなされた」とは、表示手段上の表示領域へ物理的な接触または接近がなされたことをいい、例えば、ユーザーが表示手段上の表示領域へ指や所定の物体を直接接触させたり近づけたりすることをいう（以下、同様）。
【００１０】
請求項３記載の画像表示装置は、請求項１又は２に記載の画像表示装置において、前記管理手段は、初期状態において、前記各画像それぞれが、いずれかの表示順と対応することを示す対応情報を、前記第１のサムネイル列に関する対応情報として管理し、前記各画像それぞれが、いずれの表示順とも対応しないことを示す対応情報を、前記第２のサムネイル列に関する対応情報として管理し、前記表示制御手段は、初期状態において、初期状態における管理手段が管理する対応情報に従い、第２のサムネイル列の表示領域を空けたまま、第１のサムネイル列を表示手段に表示する。
【００１１】
請求項４記載の画像表示装置は、請求項１又は２に記載の画像表示装置において、前記管理手段は、初期状態において、前記各画像それぞれが、いずれかの表示順と対応することを示す対応情報を、前記第１のサムネイル列に関する対応情報として管理し、前記第２のサムネイル列に関する対応情報を、前記第１のサムネイル列に関する対応情報と同じ状態で管理し、前記表示制御手段は、初期状態において、初期状態における管理手段が管理する対応情報に従い、第２のサムネイル列と第１のサムネイル列とを表示手段に表示する。
【００１２】
請求項５記載の画像表示装置は、請求項１から４のいずれかに記載の画像表示装置において、前記表示制御手段は、前記第２のサムネイル列に表示するサムネイルに、その第２のサムネイル列に関する各画像の第１のサムネイル列における表示順を示す変更前順番情報を対応つけて表示手段に表示する。
【００１３】
請求項６記載の画像表示装置は、請求項１から５のいずれかに記載の画像表示装置において、第２のサムネイル列を、第３のサムネイル列に切替える指示を受け付ける切替受付手段を備え、前記管理手段は、前記各画像について、第３のサムネイル列での表示順との対応情報を管理し、前記表示制御手段は、前記管理手段で管理される対応情報に従い、前記各画像のサムネイルを、各画像の表示順に対応する表示領域に表示した第３のサムネイル列として表示手段に表示し、前記受付手段は、第１または第２のサムネイル列に関する各画像のうち所定の画像を、第３のサムネイル列に関する所定の表示順の画像の一つとして追加する指示を受け付け、前記管理手段は、前記受付手段により指示が受け付けられたことを条件として、前記受付手段で受け付けた指示に従い、第３のサムネイル列に関する対応情報を更新し、前記表示制御手段は、前記切替指示受付手段による指示を受け付けたことを条件として、第１のサムネイル列の表示を維持したまま、前記管理手段で管理される対応情報に従い、第２のサムネイル列を第３のサムネイル列に切替え、第３のサムネイル列と第１のサムネイル列とを表示手段に表示する。
【００１４】
請求項７記載の画像表示装置は、請求項６に記載の画像表示装置において、前記管理手段は、前記各画像と、その各画像のサムネイルが表示される表示手段上の表示領域との対応情報を管理し、前記受付手段は、第１のサムネイル列が表示されている表示領域への直接入力がなされ、引き続き、第１および第２のサムネイル列が表示されている表示領域以外の表示領域への直接入力がなされた場合に、直接入力がなされた第１のサムネイル列が表示されている表示領域に対応する画像を、第３のサムネイル列に関する画像の一つとして追加する指示として受け付ける。
【００１５】
請求項８記載の画像表示装置は、請求項１から７のいずれかに記載の画像表示装置において、前記受付手段は、第２または第３のサムネイル列のいずれかが表示されている表示領域への直接入力がなされ、引き続き、同じ表示領域へ直接入力がなされた場合に、その直接入力がなされた表示領域に対応する画像を削除する指示として受け付ける。
【００１６】
請求項９記載の画像表示装置は、請求項１から８のいずれかに記載の画像表示装置において、前記管理手段で管理される対応情報に従い、前記第２および第３のサムネイル列毎に、その各サムネイル列毎に関する画像を前記表示手段に順番に表示させるスライド表示制御手段、または、一つのファイルにまとめて格納するファイル作成手段、または、印刷する印刷手段、または、ファクシミリ送信するファクシミリ送信手段を備えている。
【発明の効果】
【００１７】
請求項１記載の画像表示装置によれば、当初のサムネイルの並びとしての第１のサムネイル列を確認できる状態で、第１のサムネイル列の並びからサムネイルを選択したり、並び順を指令したりして、第２のサムネイル列に並び替えることができるという効果がある。
【００１８】
請求項２記載の画像表示装置によれば、請求項１に記載の画像表示装置の奏する効果に加え、簡単、且つ、直接的な操作で、第１のサムネイル列に関する各画像のうち所定の画像を第２のサムネイル列に関する所定の表示順の画像の一つとして追加する指示を受け付けることができるという効果がある。
【００１９】
請求項３記載の画像表示装置によれば、請求項１に記載の画像表示装置の奏する効果に加え、初期状態は、第２のサムネイル列の表示領域は空けたまま、第１のサムネイル列だけが表示されている状態なので、第２のサムネイル列を自由に並べやすいという効果がある。
【００２０】
請求項４記載の画像表示装置によれば、請求項３に記載の画像表示装置の奏する効果に加え、初期状態は、第１のサムネイル列と、その第１のサムネイル列と同じ状態の第２のサムネイル列とが表示されているので、第１のサムネイル列の並びを利用しつつ、第２のサムネイル列を並び替えることができるという効果がある。
【００２１】
請求項５記載の画像表示装置によれば、請求項２に記載の画像表示装置の奏する効果に加え、第２のサムネイル列に関する各画像のサムネイルには、その第２のサムネイル列に関する各画像の第１のサムネイル列における表示順を示す変更前順番情報が対応つけて表示されるので、第２のサムネイル列として表示されている各サムネイルの元々の順番を一見して確認することができるという効果がある。
【００２２】
請求項６記載の画像表示装置は、請求項５に記載の画像表示装置の奏する効果に加え、当初のサムネイルの並びとしての第１のサムネイル列を常に視覚的に確認できる状態で、第１のサムネイル列の並びを第３のサムネイル列として並び替えることができるという効果がある。また、特に、表示手段が第１のサムネイル列と、第２のサムネイル列と、第３のサムネイル列とを一度に表示できないような大きさの場合であっても、第１のサムネイル列を常に視覚的に確認できる状態で、第１のサムネイル列とは並びが異なる２種類のサムネイル列を設定することができるという効果がある。
【００２３】
請求項７記載の画像表示装置によれば、請求項１から６のいずれかに記載の画像表示装置の奏する効果に加え、簡単、且つ、直接的な操作で、第２又は第３のサムネイル列に関する各画像のうち所定の画像を第３のサムネイル列に関する所定の表示順の画像の一つとして追加する指示を受け付けることができるという効果がある。
【００２４】
請求項８記載の画像表示装置によれば、請求項１から７のいずれかに記載の画像表示装置の奏する効果に加え、簡単、且つ、直接的な操作で、第２または第３のサムネイル列に関する各画像のうち所定の画像を削除することができるという効果がある。
【００２５】
請求項９記載の画像表示装置によれば、請求項１から７のいずれかに記載の画像表示装置の奏する効果に加え、並び替えた順番に従って各サムネイルに対応する画像を、スライド表示したり、一つのファイルにまとめたり、印刷したり、ファクシミリ送信することができるという効果がある。
【発明を実施するための最良の形態】
【００２６】
以下、本発明の好ましい実施の形態について、添付図面を参照して説明する。図１は、本発明の実施形態である複合機１の外観構成を示す斜視図である。複合機１は、特に、当初のサムネイルの並びを確認できる状態で、当初のサムネイルの並びを変更することができる装置である。
【００２７】
複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００２８】
その他にも、複合機１は、ＵＳＢメモリ、デジタルカメラ、パーソナルコンピュータ等の外部装置と接続されて外部装置から受け取ったデータを記録用紙Ｋに記録したりする機能、また、外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能をも備えている。
【００２９】
また、複合機１の正面側には、操作パネル４が設けられている。操作パネル４は、プリンタ２やスキャナ３を操作するためのものであり、各種操作キー４０（４０ａ、４０ｂ、４０ｃ、４０ｄ、４０ｅ）とＬＣＤ４１とが備えられている。
【００３０】
ＬＣＤ４１は、矢印Ａ方向を長手方向（幅方向）とする矩形状に形成されており、幅方向を横とした場合の縦横比は３対８で構成されている。より具体的には、縦横比が３対４である矩形状の独立した２つのＬＣＤを矢印Ａ方向に隣接させて一体的に構成されている。但し、図中では、この縮尺は無視して図示している。
【００３１】
また、ＬＣＤ４１は周知のタッチパネルと一体で構成されており、ＬＣＤ４１に表示しているサムネイル、アイコン等がユーザーによってタッチされれば、そのタッチされたＬＣＤ４１上の座標からタッチされたサムネイル、アイコン等を認識することができる。また、タッチされた表示領域だけでなく、ユーザーがＬＣＤ４１上を所定の軌跡に沿ってなぞった場合、その軌跡の終点のＬＣＤ４１上の座標も認識することができる。
【００３２】
複合機１に所定の指令が入力されると、その入力された情報に基づいて該複合機１の動作が制御部２０（図２参照）によって制御される。なお、複合機１は、操作パネル４から入力された指令のほか、コンピュータからプリンタドライバやスキャナドライバ等を介して送信される指令に基づいて動作するように構成されている。
【００３３】
操作パネル４の下方であって上記開口１１の上方には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００３４】
接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出すことができる。
【００３５】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００３６】
制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。  
ＣＰＵ２１は、複合機１を総括的に制御する中央演算処理であり、ＲＯＭ２２に記憶されているプログラムに沿って動作する。ＲＯＭ２２には、複合機１の各種動作を制御するためのプログラムが格納されており、図３のフローチャートに示す画像データ順番変更処理を実行させるためのプログラムとして、画像データ順番変更プログラム２２ａが記憶されている。この画像データ順番変更処理は、予め決められている複数の画像データの順番を変更し、その変更した順番に従って複数の画像データを印刷、ＦＡＸ、保存、表示する処理である。
【００３７】
ＥＥＰＲＯＭ２３は、書き換え可能な不揮発性のメモリであり、表示領域メモリ２３ａを備えている。表示領域メモリ２３ａは、ＬＣＤ４１上に表示するサムネイルの表示領域や各種アイコンの表示領域と、ＬＣＤ４１上の座標とを対応つけて記憶するものである。
【００３８】
ここで、図４（ｃ）を参照して、表示領域メモリ２３ａについて、具体的に説明する。図４（ｃ）は、サムネイル表示画面を示す図である。サムネイル表示画面は、後述する画像データ順番変更処理において、予め決められている複数の画像データの順番を変更するために、変更前の順番で画像データのサムネイルを並べた変更前サムネイル列と、変更後の順番で画像データのサムネイルを並べた変更後サムネイル列とをＬＣＤ４１に表示する表示画面であり、図４（ｃ）は、特に、初期状態のサムネイル表示画面を示している。
【００３９】
サムネイル表示画面では、変更前サムネイル列として、縦書きの「変更前」の文字を先頭に、変更前の順番で画像データのサムネイルＳを最大で７ページ分、横一列に並べて表示する。表示領域メモリ２３ａには、この７ページ分のサムネイルＳを表示する各表示領域と、ＬＣＤ４１上の座標とが対応つけて記憶されている。これにより、サムネイルＳを表示する各表示領域のうち、いずれの表示領域がタッチされたかを検出することができる。
【００４０】
また、変更前サムネイル列の下方には、変更後サムネイル列として、縦書きの「変更後」の文字を先頭に、変更後の順番で画像データのサムネイルＳを最大で７ページ分、横一列に並べて表示する。表示領域メモリ２３ａには、この７ページ分のサムネイルＳを表示する各表示領域と、ＬＣＤ４１上の座標とが対応つけて記憶されている。これにより、サムネイルＳを表示する各表示領域のうち、いずれの表示領域がタッチされたかを検出することができる。
【００４１】
また、変更前サムネイル列の上方の表示領域と、変更後サムネイル列の下方の表示領域とに、左右スクロールバー５０，５２と、その左右スクロールバー５０，５２に沿って移動するポインタ５１，５３とを表示する。左右スクロールバー５０と、ポインタ５１とは、変更前サムネイル列に表示するサムネイルＳを左右にスクロールさせる指示を受け付けるアイコンであり、左右スクロールバー５２と、ポインタ５３とは、変更後サムネイル列に表示するサムネイルＳを左右にスクロールさせる指示を受け付けるアイコンである。
【００４２】
左右スクロールバー５０の長手方向における表示領域は、変更前の画像データの総数で均等に分割され、表示領域メモリ２３ａには、この分割された各表示領域と、ＬＣＤ４１上の座標とが対応つけて記憶されている。即ち、左右スクロールバー５０は、長手方向の全長が変更前の画像データの総数を示し、左から順番に各ページを示している。例えば、変更前の画像データの総数が１００ページであれば、左右スクロールバー５０の長手方向の左端が１ページ目、真中が５０ページ目、右端が１００ページ目を示している。
【００４３】
同様に、左右スクロールバー５２の長手方向における表示領域は、変更後の画像のデータの総数で均等に分割され、表示領域メモリ２３ａには、この分割された各表示領域と、ＬＣＤ４１上の座標とが対応つけて表示領域メモリ２３ａに記憶されている。即ち、左右スクロールバー５２は、長手方向の全長が変更後の画像データの総数を示し、左から順番に各ページを示している。例えば、変更後の画像データの総数が１０ページであれば、左右スクロールバー５０の長手方向の左端が１ページ目、真中が５ページ目、右端が１０ページ目を示している。
【００４４】
また、縦書きの「変更前」の文字の上方の表示領域と、縦書きの「変更後」の文字の下方の表示領域とに、グループ切替えボタン５４ａ，５４ｂを表示する。グループ切替えボタン５４ａ、５４ｂは、変更後サムネイル列に表示する画像データのグループを切替える指示を受け付けるアイコンである。
【００４５】
本実施形態では、後述するように、変更後サムネイル列に表示する画像データのグループは、第１〜第３のグループにグループ分けされており、グループ切替えボタン５４ａ，５４ｂをタッチすることで、変更後サムネイル列に表示するグループを切替えることができる。
【００４６】
そして、表示領域メモリ２３ａには、このグループ切替えボタン５４ａ、５４ｂの表示領域と、ＬＣＤ４１上の座標とが対応つけてに記憶されており、これにより、いずれのグループ切替えボタン５４ａ、５４ｂがタッチされたかを検出することができる。
【００４７】
また、変更前サムネイル列よりも上方の表示領域であって、グループ切替えボタン５４ａ、左右スクロールバー５０、ポインタ５１が表示される表示領域以外の表示領域（空欄領域）は、第２グループ振り分け領域Ｒ１とされている。そして、表示領域メモリ２３ａには、この第２グループ振り分け領域Ｒ１と、ＬＣＤ４１上の座標とが対応つけてに記憶されており、これにより、第２グループ振り分け領域Ｒ１がタッチされたことを検出することができる。
【００４８】
また、変更後サムネイル列よりも下方の表示領域であって、グループ切替えボタン５４ｂ、左右スクロールバー５２、ポインタ５３が表示される表示領域以外の表示領域（空欄領域）は、第３グループ振り分け領域Ｒ２とされている。そして、表示領域メモリ２３ａには、この第３グループ振り分け領域Ｒ３と、ＬＣＤ４１上の座標とが対応つけてに記憶されており、これにより、第３グループ振り分け領域Ｒ３がタッチされたことを検出することができる。
【００４９】
ＲＡＭ２４は、ＣＰＵ２１が上記プログラムを実行する際に用いる各種データを一時的に記録する記憶領域又は作業領域として使用され、画像データメモリ２４ａと、変更前サムネイル列リストメモリ２４ｂと、第１の変更後サムネイル列リストメモリ２４ｃと、第２の変更後サムネイル列リストメモリ２４ｄと、第３の変更後サムネイル列リストメモリ２４ｅとを備えている。
【００５０】
画像データメモリ２４ａは、サムネイル表示画面に表示するサムネイルの画像データを記憶するものであり、画像データは、メモリカードから、又は、内部メモリ（例えば、ＥＥＰＲＯＭ２３）から、又は、スキャナ３から読み込んだ画像データが記憶されている。
【００５１】
変更前サムネイル列リストメモリ２４ｂは、変更前サムネイル列リスト（例えば、図４（ａ）参照）を記憶するものであり、この変更前サムネイル列リストに従って、変更前サムネイル列のサムネイルを表示する。
【００５２】
第１の変更後サムネイル列リストメモリ２４ｃは、第１の変更後サムネイル列リスト（例えば、図４（ｂ）参照）を記憶するものである。第１の変更後サムネイル列リストは、第１グループに属する画像データのサムネイルに関するデータリストであり、この第１の変更後サムネイル列リストに従って、変更後サムネイル列のサムネイルを表示する。
【００５３】
第２の変更後サムネイル列リストメモリ２４ｄは、第２の変更後サムネイル列リスト（例えば、図９（ｃ１）、（ｃ２）参照）を記憶するものである。第２の変更後サムネイル列リストは、第２グループに属する画像データのサムネイルに関するデータリストであり、この第２の変更後サムネイル列リストに従って、変更後サムネイル列のサムネイルを表示する。
【００５４】
第３の変更後サムネイル列リストメモリ２４ｅは、第３の変更後サムネイル列リスト（例えば、図９（ｄ１）、（ｄ２）参照）を記憶するものである。第３の変更後サムネイル列リストは、第３グループに属する画像データのサムネイルに関するデータリストであり、この第３の変更後サムネイル列リストに従って、変更後サムネイル列のサムネイルを表示する。
【００５５】
ＡＳＩＣ２６は、ＣＰＵ２１からの指令に従い、プリンタ２、スキャナ３、操作パネル４、及びスロット部７２などの動作制御を行なう。
【００５６】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、パラレルインタフェース２９、ＵＳＢ端子７１、アンプ７を介してスピーカ７４が接続されている。さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２が接続されている。
【００５７】
次に、図３を参照して、画像データ順番変更処理について説明する。図３は、画像データ順番変更処理を示すフローチャートである。この処理は、予め決められている複数の画像データの順番を変更し、その変更した順番に従って複数の画像データを印刷、ＦＡＸ、保存、表示する処理であり、ユーザーの実行指示が入力された場合に実行される。
【００５８】
尚、ユーザーの実行指示とは、例えば、ユーザーによってメニュー画面キー４０ａが押下され、ＬＣＤ４１にメニュー画面を表示し、そのメニュー画面に含まれる画像データ順番変更処理が選択キー４０ｄを介して選択、入力された場合に、ユーザーの実行指示が入力されたとして本処理を実行する。また、各Ｉ／Ｆで接続された外部機器からメニュー表示指示を受けた時に実行しても良い。この場合、以降の各指示も外部機器から行われると良い。
【００５９】
この処理では、まず、どのデバイスから画像データを読み込むかの指示が入力されたかを判断する（Ｓ３０１）。具体的には、内部メモリ、メモリカード、スキャナ、各Ｉ／Ｆで接続された外部記憶装置や外部コンピュータのデバイス一覧と、そのデバイス一覧から所定のデバイスを選択するように要求するメッセージとをＬＣＤ４１に表示する。そして、そのデバイス一覧から所定のデバイスがタッチされた場合に、そのタッチされたデバイスから画像データを読み込む指示が入力されたと判断する。尚、画像データを読み込むデバイスは、ここに例示されたものに限られない。
【００６０】
その結果、内部メモリ（例えば、ＥＥＰＲＯＭ２３）からの画像データの読み込み指示が入力された場合には、その内部メモリに記憶されている画像データを読み込み、画像データメモリ２４ａに記憶する（Ｓ３０２）。また、スキャナ３からの画像データの読み込み指示が入力された場合には、スキャナ３を起動させ、スキャナ３で読み取った画像データを読み込み、画像データメモリ２４ａに記憶する（Ｓ３０３）。また、メモリカードからの読み込み指示が入力された場合には、メモリカードに記憶されている画像データを読み込み、画像データメモリ２４ａに記憶する（Ｓ３０４）。
【００６１】
そして、画像データメモリ２４ａに記憶されている画像データから変更前サムネイル列リスト（図４（ａ）参照）、第１の変更後サムネイル列リスト（図４（ｂ）参照）を作成し、その作成した各リストを、変更前サムネイル列リストメモリ２４ｂ、第１の変更後サムネイル列リストメモリ２４ｃに記憶する（Ｓ３０５）。また、この場合、画像データの総数に基づいて、左右スクロールバー５０，５２の各表示領域に、ＬＣＤ４１上の座標を割り当て、その対応情報を表示領域メモリ２３ａに記憶する。
【００６２】
ここで、図４（ａ）、図４（ｂ）を参照して、変更前サムネイル列リスト、第１の変更後サムネイル列リストについて説明する。図４（ａ）は初期状態の変更前サムネイル列リストを模式的に示す図であり、図４（ｂ）は初期状態の第１の変更後サムネイル列リストを模式的に示す図である。
【００６３】
本実施形態においては、初期状態の変更前サムネイル列リストと、初期状態の第１の変更後サムネイル列リストとは同じ状態で設定する。これにより、図４（ｃ）に示すの初期状態のサムネイル表示画面では、変更前サムネイル列に表示するサムネイルと、変更後サムネイル列に表示するサムネイルとが同じ状態で表示されることになる。よって、変更前サムネイル列のサムネイルの並びを利用して、変更後サムネイル列のサムネイルを並び替えることができる。
【００６４】
図４（ａ）に示す初期状態の変更前サムネイル列リストは、図４（ｃ）に示す初期状態のサムネイル表示画面において、変更前サムネイル列に表示するサムネイルのデータリストであり、サムネイル毎（画像データ毎）に、変更前ページ番号５５と、画像ファイル名５６と、画面内フラグ５７との各々が対応つけられている。
【００６５】
変更前ページ番号５５は、変更前サムネイル列に表示する各サムネイルの表示順を示し、この表示順は各サムネイルに対応する画像データに付されている所定の情報（例えば、更新日順、ファイル名順、サイズ順）に基づいて決定する。
【００６６】
画像ファイル名５６は、各サムネイルに対応する画像データのファイル名を示している。この画像フィル名により各サムネイルに対応する画像データを特定することができる。画面内フラグ５７は、各サムネイルをＬＣＤ４１に表示するか否かを示すものであり、表示する場合に「１」、表示しない場合に「０」に設定する。尚、初期状態では、変更前ページ番号５５が１〜７に対応するサムネイルの画面内フラグ５７を「１」に設定する。
【００６７】
また、本実施形態では、変更前ページ番号５５の番号が早い方から順番に、変更前サムネイル列の左から順番にサムネイルを表示するので、画面内フラグ５５の設定状況により、ＬＣＤ４１上でタッチされたサムネイルを特定することができる。
【００６８】
例えば、図４（ｃ）に示す初期状態のサムネイル表示画面において、変更前サムネイル列の左から７番目の表示領域がタッチされたとする。この場合、表示領域メモリ２３ａに記憶されている座標から、変更前サムネイル列の左から７番目の表示領域がタッチされたことを検出できる。そして、図４（ａ）に示す変更前サムネイルリストにおいて、画面内フラグ５７が「１」に設定されているサムネイルうち、変更前ページ番号５５の番号が早い方から７番目のサムネイルが、ＬＣＤ４１上でタッチされたサムネイルとして特定することができる。即ち、画像ファイル名５６が「しち．ｐｄｆ」である画像データに対応したサムネイルである。
【００６９】
図４（ｂ）に示す初期状態の第１の変更後サムネイル列リストは、図４（ｃ）に示す初期状態のサムネイル表示画面において、変更後サムネイル列に表示するサムネイルのデータリストであり、各サムネイル毎に、変更後ページ番号５８と、画像ファイル名５９と、変更前ページ番号６０と、画面内フラグ６１との各々が対応つけられている。
【００７０】
変更後ページ番号５８は、変更後サムネイル列に表示する各サムネイルの表示順を示している。画像ファイル名５９は、各サムネイルに対応する画像データのファイル名を示している。変更前ページ番号６０は、各サムネイルが初期状態で設定されていた（変更前サムネイル列リストにおいて設定されていた変更前ページ番号）表示順を示している。画面内フラグ６１は、各サムネイルをＬＣＤ４１に表示するか否かを示すものであり、表示する場合に「１」、表示しない場合に「０」に設定する。
【００７１】
そして、上述したのと同様に、本実施形態では、変更後ページ番号５８の番号が早い方から順番に、変更後サムネイル列の左から順番にサムネイルを表示するので、画面内フラグ６１の設定状況により、ＬＣＤ４１上でタッチされたサムネイルを特定することができる。
【００７２】
再び、図３に戻って説明を続ける。Ｓ３０５で、変更前サムネイル列リスト、第１の変更後サムネイル列リストを作成、記憶すると、次に、画像データの読み込みを続行するか否かのメッセージをＬＣＤ４１に表示し、そのメッセージを受けたユーザーから読み込み続行の指示が入力されたかを判断する（Ｓ３０６）。そして、続行する指示が入力された場合には（Ｓ３０６：Ｙｅｓ）、Ｓ３０１からの処理を繰り返し、新たに読み込んだ画像データに関する必要な情報を、変更前サムネイル列リスト、第１の変更後サムネイル列リストに追加する。また、画像データの総数に基づいて、左右スクロールバー５０，５２の各表示領域に、ＬＣＤ４１上の座標を割り当て、その対応情報を表示領域メモリ２３ａに記憶する。
【００７３】
一方、続行しない指示が入力された場合には（Ｓ３０６：Ｎｏ）、変更前サムネイル列リスト、第１の変更後サムネイル列リストに従ってＬＣＤ４１に初期状態のサムネイル表示画面（図４（ｃ）参照）を表示する（Ｓ３０７）。尚、前述したように、外部機器等からメニュー表示指令を受けた場合は、その外部機器が備える表示装置に各種表示のためのデータを送信し、表示を行わせると良い。
【００７４】
ここで、図４（ｃ）を参照して、初期状態のサムネイル表示画面について説明する。図４（ｃ）は、初期状態のサムネイル表示画面を示す図であり、図４（ａ）に示す変更前サムネイル列リストと、図４（ｂ）に示す第１の変更後サムネイル列リストとに従って表示する。
【００７５】
初期状態のサムネイル表示画面では、図４（ａ）に示す変更前サムネイル列リストにおいて、画面内フラグ５７が「１」に設定されているサムネイルＳを、変更前ページ番号５５が早い方から順番に、変更前サムネイル列の左から順番に表示する。また、この場合、変更前サムネイル列に表示する各サムネイルＳには、各サムネイルＳの変更前ページ番号５５に対応したローマ数字（Ｉ，ＩＩ，ＩＩＩ・・ＶＩＩ）を対応つけて表示する。
【００７６】
また、図４（ｂ）に示す第１の変更後サムネイル列リストにおいて、画面内フラグ６１が「１」に設定されているサムネイルＳを、変更後ページ番号５８が早い方から順番に変更後サムネイル列の左から順番に表示する。また、この場合、変更後サムネイル列に表示する各サムネイルＳには、各サムネイルＳの変更前ページ番号６０に対応したローマ数字（Ｉ，ＩＩ，ＩＩＩ・・ＶＩＩ）を対応つけて表示する。これにより、変更後サムネイル列に表示されているサムネイルの初期状態における表示順（変更前ページ番号）を一見して認識することができる。
【００７７】
また、左右スクロールバー５０，５２と、ポインタ５１，５３と、グループ切替えボタン５４ａ，５４ｂとの各アイコンを、表示領域メモリ２３ａに記憶されているＬＣＤ４１上の座標に従って表示する。尚、各サムネイルを順次表示していき、サムネイル列を表示しても良いし、予めサムネイル列の画像データを作成し、サムネイル列全体を表示しても良く、サムネイル列の表示手順は限定しない。
【００７８】
再び、図３に戻り説明を続ける。上述したように、初期状態のサムネイル表示画面を表示すると、次に、スクロール指示かあったかを判断する（Ｓ３０８）。スクロール指示であると判断した場合には（Ｓ３０８：Ｙｅｓ）、その指示に従って、変更前サムネイル列、または、変更後サムネイル列をスクロールし（Ｓ３０９）、後述するＳ３２０の処理に移行する。
【００７９】
ここで、図５を参照して、変更後サムネイル列をスクロールする処理について説明する。図５（ａ１）はスクロール前のサムネイル表示画面、図５（ａ２）はスクロール後のサムネイル表示画面を示している。図５（ｂ１）はスクロール前の第１の変更後サムネイル列リスト、図５（ａ２）はスクロール後の第１の変更後サムネイル列リストを示している。
【００８０】
例えば、図５（ａ１）に示すように、ポインタ５３がユーザーによりタッチされ、そのまま左右スクロールバー５２上をなぞられ、その後、左右スクロールバー５２上の所定の位置で離されたとする。このような操作がユーザーによってされると、スクロール指示があったと判断する。そして、タッチが離された座標を検出し、その座標が表示領域メモリ２３ａにおいて、変更後の画像データの５ページ目と対応つけられていた場合には、第１の変更後サムネイル列リストを、図５（ｂ１）に示す状態から、図５（ｂ２）に示す状態に更新する。
【００８１】
具体的には、図５（ｂ１）に示すスクロール前の第１の変更後サムネイル列リストでは、変更後ページ番号５８が「１」〜「７」に対応するサムネイルは、画面内フラグ６１が「１」に設定されている。これを、図５（ｂ２）に示すように、変更後ページ番号５８が「１」〜「４」に対応する画面内フラグ６１を「１」から「０」に設定し、変更後ページ番号５８が「８」〜「１１」に対応する画面内フラグ６１を「０」から「１」に設定する。
【００８２】
こうして、更新した図５（ｂ２）に示す第１の変更後サムネイル列リストに従って、サムネイル表示画面を、図５（ａ１）に示す状態から図５（ａ２）に示す状態に更新する。即ち、図５（ａ１）に示す変更後サムネイル列に表示されているサムネイルを４ページ分左方にスクロールして、図５（ａ２）に示す通り、変更後サムネイル列の左から順番に、変更後ページ番号５８が「５」〜「１１」に対応する７枚のサムネイルＳ（ローマ数字：Ｖ〜ＸＩ）を変更後ページ番号５８が早い方から順番に表示する。
【００８３】
尚、ポインタ５３がユーザーによりタッチされ、そのまま左右スクロールバー５２上をなぞられ、その後、左右スクロールバー５２上の所定の位置で離された場合にも、上述したの同様に、変更前サムネイル列リストの画面内フラグ５７が更新され、それに従って変更前サムネイル列の表示がスクロールする。このように、各サムネイル列毎（変更後、変更前サムネイル列毎）に、スクロールすることができるので、変更前の画像データの順番を並べ替えやすくすることができる。
【００８４】
再び、図３に戻って説明を続ける。Ｓ３０８の処理において、スクロール指示でないとと判断した場合には（Ｓ３０８：Ｎｏ）、変更前の画像データのうち、所定の画像データを、変更後の画像データの所定の順番の画像データとして追加する第１の追加指示かを判断する（Ｓ３１０）。第１の追加指示であると判断した場合には（Ｓ３１０：Ｙｅｓ）、第１の追加指示に従って、第１〜第３変更後サムネイル列リストのうち、該当する変更後サムネイル列リストを更新し、その更新した変更後サムネイル列リストに従って、変更後サムネイル列の表示を更新し（Ｓ３１１）、後述するＳ３２０の処理に移行する。また、Ｓ３１１では、画像データの総数に基づいて、左右スクロールバー５２の表示領域に、ＬＣＤ４１上の座標を割り当て、その対応情報を表示領域メモリ２３ａに記憶する。
【００８５】
ここで、図６を参照して、変更前の画像データのうち、所定の画像データを、変更後の画像データの所定の順番の画像データとして追加する処理について説明する。図６（ａ１）は追加前のサムネイル表示画面、図６（ａ２）は追加後のサムネイル表示画面を示している。図６（ｂ１）は追加前の第１の変更後サムネイル列リスト、図６（ｂ２）は追加後の第１の変更後サムネイル列リストを示している。
【００８６】
例えば、図６（ａ１）に示すように、変更前サムネイル列の左から２番目の表示領域がユーザーによりタッチされ、そのまま所定の軌跡を辿って（図中矢印参照）、変更後サムネイル列の左から３番目の表示領域でタッチが離されたとする。
【００８７】
この場合、表示領域メモリ２３ａに記憶されている座標から、変更前サムネイル列の左から２番目の表示領域がタッチされたことを検出する。そして、図４（ｂ）に示す変更前サムネイルリストにおいて、画面内フラグ５７が「１」に設定されているサムネイルうち、変更前ページ番号５５の番号が早い方から２番目であるサムネイルを特定する。即ち、変更前ページ番号５５が「２」、画像ファイル名５６が「ｂ２ｂ２．ｐｄｆ」に対応する画像データのサムネイルであると特定する。
【００８８】
その後、表示領域メモリ２３ａに記憶されている座標から、変更後サムネイル列の左から３番目の表示領域で指が離されたことを検出すると、図６（ｂ１）に示す第１の変更前サムネイルリストにおいて、画面内フラグ６１が「１」に設定されているサムネイルうち、変更後ページ番号５８の番号が早い方から３番目であるサムネイルの変更後ページ番号５８の「７」を特定する。
【００８９】
こうして、変更前の画像データのうち、変更前ページ番号５５が「２」、画像ファイル名５６が「ｂ２ｂ２．ｐｄｆ」に対応する画像データを、変更後の画像データの変更後ページ番号５８が「７」の画像データとして追加する指示があったとして、その指示に従って、第１の変更後サムネイル列リストを、図６（ｂ１）から図６（ｂ２）に示す状態に更新する。
【００９０】
具体的には、図６（ｂ１）に示す変更後ページ番号５８の「７」は、画像ファイル名６０が「しち．ｐｄｆ」、変更前ページ番号６０が「７（ＶＩＩ）」、画面内フラグ６１がは「１」に設定されているが、これを、図６（ｂ２）に示すように、変更後ページ番号５８の「７」は、画像ファイル名５９を「ｂ２ｂ２．ｐｄｆ」、変更前ページ番号６０を「２（ＩＩ）」、画面内フラグ６１を「１」に更新する。また、これに伴い、変更後ページ番号５８の「８」以降が、図６（ｂ１）の変更後ページ番号５８の「７」以降に対応するように更新する。
【００９１】
そして、更新した図６（ｂ２）に示す第１の変更後サムネイル列リストに従って、サムネイル表示画面を、図６（ａ１）に示す状態から図６（ａ２）に示す状態に更新する。具体的には、図６（ａ２）に示すように、変更後サムネイル列の左から３番目の表示領域に、サムネイルＳ（ローマ数字ＩＩ）を追加表示する。また、図６（ｂ１）に示す変更後サムネイル列の左から３番目〜６番目の表示領域に表示されていたサムネイルＳ（ローマ数字ＶＩＩ〜Ｘ）は、図６（ｂ２）に示すように、変更後サムネイル列の左から４番目〜７番目の表示領域に表示し、図６（ｂ１）に示す変更後サムネイル列の左から７番目の表示領域の表示されていたサムネイルＳ（ローマ数字ＸＩ）は非表示とする。
【００９２】
この場合、変更前サムネイル列のサムネイルは、表示されたままの状態になっているので、当初のサムネイルの並びを確認できる状態で、当初のサムネイルの並びを変更することができる。
【００９３】
再び、図３に戻って説明を続ける。Ｓ３１０の処理において、第１の追加指示でないとと判断した場合には（Ｓ３１０：Ｎｏ）、変更後の画像データのうち、所定の画像データを、変更後の画像データの所定の順番の画像データとして追加する第２の追加指示かを判断する（Ｓ３１２）。第２の追加指示であると判断した場合には（Ｓ３１２：Ｙｅｓ）、その第２の追加指示に従って、第１〜第３の変更後サムネイル列リストのうち該当する変更後サムネイル列リストを更新し、その更新した変更後サムネイル列リストに従って、変更後サムネイル列の表示を更新し（Ｓ３１３）、後述するＳ３２０の処理に移行する。また、Ｓ３１３では、画像データの総数に基づいて、左右スクロールバー５２の表示領域に、ＬＣＤ４１上の座標を割り当て、その対応情報を表示領域メモリ２３ａに記憶する。
【００９４】
ここで、図７を参照して、変更後の画像データのうち所定の画像データを、変更後の画像データの所定の順番の画像データとして追加する処理について説明する。図７（ａ１）は追加前のサムネイル表示画面、図７（ａ２）は追加後のサムネイル表示画面を示している。図７（ｂ１）は追加前の第１の変更後サムネイル列リスト、図７（ｂ２）は追加後の第１の変更後サムネイル列リストを示している。
【００９５】
例えば、図７（ａ１）に示すように、変更後サムネイル列の左から５番目の表示領域が、ユーザーによりタッチされ、そのまま所定の軌跡を辿って（図中矢印参照）、変更後サムネイル列の左から６番目の表示領域でタッチが離されたとする。
【００９６】
この場合、表示領域メモリ２３ａに記憶されている座標から、変更後サムネイル列の左から５番目の表示領域がタッチされたことを検出する。そして、図７（ｂ１）に示す第１の変更後サムネイルリストにおいて、画面内フラグ５７が「１」に設定されているサムネイルうち、変更後ページ番号５８が早い方から５番目に「１」に設定されているサムネイルを特定する。即ち、変更後ページ番号５８が「９」、画像ファイル名５９が「３３３ｃ．ｐｄｆ」に対応するサムネイルであると特定する。
【００９７】
その後、表示領域メモリ２３ａに記憶されている座標から、変更後サムネイル列の左から６番目の表示領域においてタッチが離されたことを検出すると、図７（ｂ１）に示す第１の変更前サムネイルリストにおいて、画面内フラグ６１が「１」に設定されているサムネイルうち、変更後ページ番号５８が早い方から６番目に「１」に設定されているサムネイルの変更後ページ番号５８の「１０」を特定する。
【００９８】
こうして、変更後の画像データのうち、順番が９番目の画像データを、変更後の画像データの１０番目の画像データとして追加する第２の追加指示があったとして、その第２の追加指示に従って、第１の変更後サムネイル列リストを、図７（ｂ１）から図７（ｂ２）に示す状態に更新する。
【００９９】
具体的には、図７（ｂ１）に示す変更後ページ番号５８の「１０」は、画像ファイル名５９が「きゅう．ｐｄｆ」、変更前ページ番号６０が「９（ＩＸ）」、画面内フラグ６１が「１」に設定されているが、これを、図７（ｂ２）に示すように、変更後ページ番号５８の「１０」は、画像ファイル名５９を「３３３ｃ．ｐｄｆ」、変更前ページ番号６０を「３（ＩＩＩ）」、画面内フラグ６１を「１」に更新する。また、これに伴い、図７（ｂ１）に示す変更後ページ番号５８の「１１」以降を、図７（ｂ１）に示す変更後ページ番号５８の「１０」以降に対応するように更新する。
【０１００】
そして、更新した図７（ｂ２）に示す第１の変更後サムネイル列リストに従って、サムネイル表示画面を、図７（ａ１）に示す状態から図７（ａ２）に示す状態に更新する。具体的には、図７（ａ２）に示すように、変更後サムネイル列の左から６番目の表示領域ににサムネイルＳ（ローマ数字ＩＩＩ）を追加表示する。また、図７（ｂ１）に示す変更後サムネイル列の左から６番目の表示領域に表示されていたサムネイルＳ（ローマ数字ＩＸ）は、図７（ｂ２）に示すように、変更後サムネイル列の左から７番目の表示領域に表示し、図７（ｂ１）に示す変更後サムネイル列の左から７番目の表示領域に表示されていたサムネイル（ローマ数字Ｘ）は非表示とする。
【０１０１】
この場合であっても、変更前サムネイル列のサムネイルは、表示されたままの状態になっているので、当初のサムネイルの並びを確認できる状態で、当初のサムネイルの並びを変更することができる。
【０１０２】
再び、図３に戻って説明を続ける。Ｓ３１２の処理において、第２の追加指示でないとと判断した場合には（Ｓ３１２：Ｎｏ）、変更後の画像データのうち、所定の画像データを削除する削除指示かを判断する（Ｓ３１４）。削除指示であると判断した場合には（Ｓ３１４：Ｙｅｓ）、その削除指示に従って、第１〜第３の変更後サムネイル列リストのうちの該当する変更後サムネイル列リストを更新し、その更新した変更後サムネイル列リストに従って、変更後サムネイル列の表示を更新し（Ｓ３１５）、後述するＳ３２０の処理に移行する。尚、Ｓ３１５では、画像データの総数に基づいて、左右スクロールバー５２の表示領域に、ＬＣＤ４１上の座標を割り当て、その対応情報を表示領域メモリ２３ａに記憶する。
【０１０３】
ここで、図８を参照して、変更後の画像データのうち、所定の画像を削除する処理について説明する。図８（ａ１）は削除前のサムネイル表示画面、図８（ａ２）は削除後のサムネイル表示画面を示している。図８（ｂ１）は削除前の第１の変更後サムネイル列リスト、図８（ｂ２）は削除後の第１の変更後サムネイル列リストを示している。
【０１０４】
例えば、図８（ａ１）に示すように、変更後サムネイル列の左から６番目の表示領域がが連続してユーザーによりタッチされたとする。この場合には、まず、表示領域メモリ２３ａに記憶されている座標から、変更後サムネイル列の左から６番目の表示領域がタッチされたことを検出する。そして、図８（ｂ１）に示す第１の変更後サムネイルリストにおいて、画面内フラグ６１が「１」に設定されているサムネイルうち、変更後ページ番号５８が早い方から６番目に「１」に設定されているサムネイルを特定する。即ち、変更後ページ番号５８が「１０」、画像ファイル名５９が「３３３ｃ．ｐｄｆ」に対応するサムネイルであると特定する。その後、表示領域メモリ２３ａに記憶されている座標から、変更後サムネイル列の左から６番目の表示領域が再びタッチされたことを検出する。
【０１０５】
こうして、変更後の画像データのうち、１０番目の画像データを削除する指示があったとして、その指示に従って、第１の変更後サムネイル列リストを図８（ｂ１）から図８（ｂ２）に示す状態に更新する。
【０１０６】
具体的には、図８（ｂ１）に示す変更後ページ番号５８の「１０」は、画像ファイル名５９が「３３３ｃ．ｐｄｆ」、変更前ページ番号６０が「３（ＩＩＩ）」、画面内フラグ６１がは「１」に設定されているが、これを、図８（ｂ２）に示すように、変更後ページ番号５８の「１０」は、画像ファイル名５９を「八．ｐｄｆ」、変更前ページ番号６１を「８（ＶＩＩＩ）」、画面内フラグ６１を「１」に更新する。また、これに伴い、変更後ページ番号５８の「１１」以降を、図８（ｂ１）の変更後ページ番号５８の「１０」以降に対応するように更新する。
【０１０７】
そして、更新した図８（ｂ２）に示す第１の変更後サムネイル列リストに従って、サムネイル表示画面を、図８（ａ１）に示す状態から図８（ａ２）に示す状態に更新する。具体的には、図８（ａ１）に示す変更後サムネイル列の左から６番目の表示領域に表示されていたサムネイルＳ（ローマ数字ＩＩＩ）は削除し、その削除した６番目の表示領域には、７番目の表示領域に表示されていたサムネイルＳ（ローマ数字ＶＩＩＩ）を表示し、７番目の表示領域には、新たに、サムネイルＳ（ローマ数字ＩＸ）を表示する。
【０１０８】
この場合であっても、変更前サムネイル列のサムネイルは、表示されたままの状態になっているので、当初のサムネイルの並びを確認できる状態で、当初のサムネイルの並びを変更することができる。
【０１０９】
再び、図３に戻って説明を続ける。Ｓ３１４の処理において、削除指示でないと判断した場合には（Ｓ３１４：Ｎｏ）、変更前の画像データのうち、所定の画像データを別グループへ追加する第３の追加指示かを判断する（Ｓ３１６）。第３の追加指示であると判断した場合には（Ｓ３１６：Ｙｅｓ）、その第３の追加指示に従って、第２または第３の変更後サムネイル列リストを更新し（Ｓ３１７）、後述するＳ３２０の処理に移行する。尚、Ｓ３１７では、画像データの総数に基づいて、第２または第３グループに対応した左右スクロールバーの表示領域に、ＬＣＤ４１上の座標を割り当て、その対応情報を表示領域メモリ２３ａに記憶する。
【０１１０】
ここで、図９を参照して、変更前の画像データのうち、所定の画像データを別グループへ追加する処理について説明する。図９（ａ）は、サムネイル表示画面であって、変更後サムネイル列に第１のグループに属する画像データのサムネイルを表示している状態を示す図である。図９（ｂ）は、第１の変更後サムネイルリストを示している。図９（ｃ１）は、追加前の第２の変更後サムネイル列リスト、図９（ｃ２）、追加後の第２の変更後サムネイル列リストを示している。図９（ｄ１）は、追加前の第３の変更後サムネイル列リスト、図９（ｄ２）、追加後の第３の変更後サムネイル列リストを示している。
【０１１１】
まず、変更前の画像データのうち所定の画像データを、第２グループへ追加する処理について説明する。例えば、図９（ａ）に示すように、変更前サムネイル列の左から１番目の表示領域がユーザーによりタッチされ、そのまま所定の軌跡を辿って（図中矢印参照）、ＬＣＤ４１上の第２グループ追加領域Ｒでタッチが離されたとする。尚、図９（ａ）に示す通り、変更後サムネイル列のサムネイル数が７つ以下の場合には、左右スクロールバー５２に沿って移動するポインタ５３は非表示となり、変更後サムネイル列に表示するサムネイルに対応する画像データが７つ以下であることを一見して把握することができる。
【０１１２】
この場合には、表示領域メモリ２３ａに記憶されている座標から、変更前サムネイル列の左から１番目の表示領域がタッチされたことを検出する。そして、図４（ｂ）に示す変更前サムネイルリストにおいて、画面内フラグ５７が「１」に設定されているサムネイルうち、変更前ページ番号５５が早い方から１番目のサムネイルを特定する。即ち、画像ファイル名５６が「ｂ２ｂ２．ｐｄｆ」の画像データに対応するサムネイルであると特定する。
【０１１３】
その後、表示領域メモリ２３ａに記憶されている座標から、第２グループ追加領域Ｒ１でタッチが離されたことを検出すると、変更前の画像データのうち順番が１番目の画像データを第２のグループに追加する指示があったとして、その指示に従って、第２の変更後サムネイル列リストを、図９（ｃ１）から図９（ｃ２）に示す状態に更新する。
【０１１４】
具体的には、本実施形態においては、追加の指示があった画像データは、第２のグループのうち最下位の順番で第２のグループに追加する。よって、図９（ｃ２）に示す通り、追加の指示があった画像データは、変更後ページ番号６２を「５」、画像ファイル名６３を「ｂ２ｂ２．ｐｄｆ」、変更前ページ番号６４を「１（Ｉ）」、画面内フラグ６５を「１」として追加する。これにより、変更前の画像データの所定の画像データを、第１グループとは別の第２グループに簡単に追加することができる。
【０１１５】
次に、変更前の画像データのうち所定の画像データを、第３グループへ追加する処理について説明する。例えば、図９（ａ）に示すように、変更前サムネイル列の左から５番目の表示領域がユーザーによりタッチされ、そのまま所定の軌跡を辿って（図中矢印参照）、ＬＣＤ４１上の第３グループ追加領域Ｒ２で指が離されたとする。
【０１１６】
この場合には、表示領域メモリ２３ａに記憶されている座標から、変更前サムネイル列の左から５番目の表示領域がタッチされたことを検出する。そして、図４（ｂ）に示す変更前サムネイルリストにおいて、画面内フラグ５７が「１」に設定されているサムネイルうち、変更前ページ番号５５が早い方から５番目のサムネイルを特定する。即ち、即ち、画像ファイル名５６が「Ｖ．ｐｄｆ」の画像データに対応するサムネイルであると特定する。
【０１１７】
その後、表示領域メモリ２３ａに記憶されている座標から、第３グループ追加領域Ｒ２でタッチが離されたことを検出すると、変更前の画像データのうち順番が５番目の画像を第３のグループに追加する指示があったとして、その指示に従って、第３の変更後サムネイル列リストを図９（ｄ１）から図９（ｄ２）に示す状態に更新する。
【０１１８】
具体的には、本実施形態においては、追加の指示があった画像データは、第３のグループのうち最下位の順番で第３のグループに追加する。よって、図９（ｄ２）に示す通り、追加の指示があった画像データは、変更後ページ番号６６を「５」、画像ファイル名６７を「Ｖ．ｐｄｆ」、変更前ページ番号６８を「５（Ｖ）」、画面内フラグ６９を「１」として追加する。これにより、変更前の画像データの所定の画像データを、第１グループとは別の第２グループに簡単に追加することができる。
【０１１９】
再び、図３に戻って説明を続ける。Ｓ３１６の処理において、第３の追加指示でないと判断した場合には（Ｓ３１６：Ｎｏ）、変更後サムネイル列に表示するグループの切替え指示かを判断する（Ｓ３１８）。グループの切替え指示であると判断した場合には（Ｓ３１８：Ｙｅｓ）、そのグループの切替え指示に従って、変更後サムネイル列に表示するグループを切替える（Ｓ３１９）。
【０１２０】
ここで、図１０を参照して、変更後サムネイル列に表示するグループを切替える処理について説明する。図１０（ａ）は、サムネイル表示画面であって、変更後サムネイル列に第１のグループに属する画像データのサムネイルを表示している状態を示す図である。図１０（ｂ）は、サムネイル表示画面であって、変更後サムネイル列に第２のグループに属する画像データのサムネイルを表示している状態を示す図である。図１０（ｃ）は、サムネイル表示画面であって、変更後サムネイル列に第３のグループに属する画像データのサムネイルを表示している状態を示す図である。
【０１２１】
まず、サムネイル表示画面を、図１０（ａ）の状態から図１０（ｂ）の状態に切替える場合、即ち、変更後サムネイル列に表示するグループを、第１のグループから第２のグループに切替える場合について説明する。
【０１２２】
例えば、サムネイル表示画面が図１０（ａ）に示す状態にある場合に、グループ切替えボタン５４ｂがユーザーによりタッチされたとする。このような操作がユーザーによってされると、第１のグループから、第１のグループよりも１つ下位の第２のグループに属する画像データのサムネイルを変更後サムネイル列に表示する指示であると判断する。
【０１２３】
そして、第２の変更後サムネイル列リストメモリ２４ｃに記憶されている第２の変更後サムネイル列リスト（図９（ｃ２）参照）に従って、図１０（ｂ）に示すように、変更後サムネイル列を、第２グループに属する画像データのサムネイルに切替える。
【０１２４】
次に、サムネイル表示画面を図１０（ｂ）の状態から図１０（ｃ）の状態に切替える場合、即ち、変更後サムネイル列に表示するグループを、第２のグループから第３のグループに切替える場合について説明する。
【０１２５】
例えば、サムネイル表示画面が図１０（ｂ）に示す状態にある場合に、グループ切替えボタン５４ｂがユーザーによりタッチされたとする。このような操作がユーザーによってされると、第２のグループから、第２のグループよりも１つ下位の第３のグループに属する画像データのサムネイルを、変更後サムネイル列に表示する指示であると判断する。
【０１２６】
そして、第３の変更後サムネイル列リストメモリ２４ｅに記憶されている第３の変更後サムネイル列リスト（図９（ｄ２）参照）に従って、図１０（ｂ）に示すように、変更後サムネイル列を、第２グループに属する画像データのサムネイルに切替える。
【０１２７】
尚、サムネイル表示画面を、図１０（ｃ）の状態から図１０（ｂ）の状態に切替える場合には、グループ切替えボタン５４ａをタッチし、図１０（ｂ）の状態から図１０（ｃ）の状態に切替える場合にはグループ切替えボタン５４ｂをタッチすれば良い。これにより、簡単な操作で、変更後サムネイル列に表示する画像データのグループを簡単に切替えることができる。
【０１２８】
再び、図３に戻って説明を続ける。Ｓ３１８の処理において、グループの切替え指示でないと判断した場合には（Ｓ３１８：Ｎｏ）、編集終了か否かを判断する（Ｓ３２０）。具体的には、サムネイル表示画面中には、図示しない「編集終了」の文字が入ったアイコンである編集終了アイコンが表示されており、その編集終了アイコンがユーザーによってタッチされたかを判断する。そして、所定時間内に、編集終了アイコンがタッチされなければ（Ｓ３２０：Ｎｏ）、Ｓ３０８からの処理を繰り返す。
【０１２９】
一方、編集終了アイコンがタッチされれば（Ｓ３２０：Ｙｅｓ）、ユーザーから所定の処理の実行指示が入力されたかを判断する（Ｓ３２１）。具体的には、第１グループ〜第３グループのグループ一覧と、そのいずれかのグループを選択するように要求するメッセージと、印刷処理、ＦＡＸ送信処理、ファイル作成処理、スライド表示処理の処理一覧と、その処理一覧からいずれかの処理を選択するように要求するメッセージとをＬＣＤ４１に表示する。そして、グループ一覧の中から所定のグループが選択され、且つ、処理一覧から所定の処理が選択されたかを判断する。
【０１３０】
その結果、ユーザーから所定のグループが選択され、且つ、印刷処理の指示があった場合には（印刷）、選択したグループに属する画像データを、現在、設定されている順番で、印刷する印刷処理を実行し（Ｓ３２２）、本処理を終了する。また、ユーザーから所定のグループが選択され、且つ、ＦＡＸ送信処理の指示があった場合には（ＦＡＸ）、選択したグループに属する画像データを、現在、設定されている順番で、ＦＡＸ送信するＦＡＸ送信処理を実行し（Ｓ３２３）、本処理を終了する。また、ユーザーから所定のグループが選択され、且つ、ファイル作成処理の指示があった場合には（ファイル作成）、選択したグループに属する画像データを、現在、設定されている順番で、１つのファイルを作成、保存（記憶）するファイル作成処理を実行し（Ｓ３２４）、本処理を終了する。また、ユーザーから所定のグループが選択され、且つ、スライド表示処理の指示があった場合には（スライド表示）、選択したグループに属する画像データを、現在、設定されている順番で、スライド表示するスライド表示処理を実行し（Ｓ３２５）、本処理を終了する。これにより、ユーザーの意思で、並び替えた画像データの順番で、画像データを印刷、ＦＡＸ、保存、表示することができる。
【０１３１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１３２】
本実施形態では、サムネイルの表示順等を管理するためのリストを用いていたが、リストを用いない方式で管理しても良い。もちろん、リストの形式も、例示したものに限定する必要はない。例えば、変更前ページ番号と、変更後ページ番号が別のリストになっており、画像ファイル名に基づいて、間接的に両者を対応づけるように構成しても良い。
【０１３３】
本実施形態では、図４（ｃ）に示す初期状態のサムネイル表示画面では、変更後のサムネイル列が、変更前サムネイル列と同じ状態にする場合について説明したが、図４（ｃ）に示す初期状態のサムネイル表示画面において、変更後サムネイル列を表示する表示領域には、何も表示させないで、変更前サムネイル列だけを表示するようにしても良い。尚、この場合、図４（ｂ）に示す第１の変更後サムネイル列リストには、何ら情報が記憶されていない状態となる。このようにすることで、変更後の画像データの並びを、より、自由に並び替えることができる。
【０１３４】
また、本実施形態では、変更後サムネイル列に表示する画像データのグループを、第１〜第３グループに分ける場合について説明したが、変更後サムネイル列に表示する画像データのグループは、かかる３つのグループに限られず、１グループ、２グループ、４グループ以上に分けることがもできる。この場合には、サムネイル表示画面におけるＬＣＤ４１上の領域に、各グループへの追加を指示する領域を割り当てれば良い。また、各グループへの追加の指示の方法としては、ＬＣＤ４１上の領域を割り当てることなく、操作子の操作でグループ分け、更に、各グループにおける順番を指示できるようにすることもできる。
【０１３５】
また、本実施形態では、変更後の画像データの順番は、ユーザーがタッチを離した表示領域に対応する画像データの順番の１つ前に設定する場合について説明したが、ＬＣＤ４１上のどの表示領域に、変更後の画像データの順番を示す指示を割り当てるかは、これに限定されるものではなく、例えば、変更後サムネイル列の２つのサムネイルの間の表示領域で、ユーザーがタッチを離した場合に、その２つのサムネイルに対応した順番の間に、新たな画像データを追加する指示があったとすることもできる。かかる場合には、感覚的に、順番を認識することができる。
【０１３６】
また、少々繁雑ではあるが、並び替え対象のサムネイルを選択した後、その画像についての表示順を数字で入力する構成であっても良い。
【０１３７】
また、本実施形態で示したタッチパネルでは、ＬＣＤ４１上にタッチすることで、タッチしたＬＣＤ４１上の表示領域を特定したが、ＬＣＤ４１上に直接接触（タッチ）することなく、ＬＣＤ４１上への物理的な接近に基づいて、その接近したＬＣＤ４１上の座標を検出する方式のタッチパネルを用いる等、タッチパネルの方式は限定されない。
【０１３８】
また、ネットワークＩ／Ｆを備え、外部コンピュータや外部機器などとネットワーク接続しても良い。
【図面の簡単な説明】
【０１３９】
【図１】複合機の外観構成を示す斜視図である。
【図２】複合機の制御部の概略構成を示すブロック図である。
【図３】画像データ順番変更処理を示すフローチャートである。
【図４】（ａ）は初期状態の変更前サムネイル列リスト、（ｂ）は初期状態の第１の変更後サムネイル列リスト、（ｂ）は初期状態のサムネイル表示画面を示す図である。
【図５】（ａ１）はスクロール前のサムネイル表示画面、（ａ２）はスクロール後のサムネイル表示画面を示す図である。（ｂ１）はスクロール前の第１の変更後サムネイル列リスト、（ａ２）はスクロール後の第１の変更後サムネイル列リストを示す図である。
【図６】（ａ１）は追加前のサムネイル表示画面、（ａ２）は追加後のサムネイル表示画面を示す図である。（ｂ１）は追加前の第１の変更後サムネイル列リスト、（ｂ２）は追加後の第１の変更後サムネイル列リストを示す図である。
【図７】（ａ１）は追加前のサムネイル表示画面、（ａ２）は追加後のサムネイル表示画面を示す図である。（ｂ１）は追加前の第１の変更後サムネイル列リスト、（ｂ２）は追加後の第１の変更後サムネイル列リストを示す図である。
【図８】（ａ１）は削除前のサムネイル表示画面、（ａ２）は削除後のサムネイル表示画面を示す図である。（ｂ１）は削除前の第１の変更後サムネイル列リスト、（ｂ２）は削除後の第１の変更後サムネイル列リストを示す図である。
【図９】（ａ）は変更後サムネイル列に第１のグループに属する画像データのサムネイルを表示している状態のサムネイル表示画面を示す図である。（ｂ）は第１の変更後サムネイルリストを示す図である。（ｃ１）は追加前の第２の変更後サムネイル列リスト、（ｃ２）は追加後の第２の変更後サムネイル列リストを示す図である。（ｄ１）は追加前の第３の変更後サムネイル列リスト、（ｄ２）追加後の第３の変更後サムネイル列リストを示す図である。
【図１０】（ａ）は、変更後サムネイル列に第１のグループに属する画像データのサムネイルを表示している状態のサムネイル表示画面、（ｂ）は、変更後サムネイル列に第２のグループに属する画像データのサムネイルを表示している状態のサムネイル表示画面（ｃ）は、変更後サムネイル列に第３のグループに属する画像データのサムネイルを表示している状態のサムネイル表示画面を示す図である。
【符号の説明】
【０１４０】
Ｓ３０９、Ｓ３１１、Ｓ３１３、Ｓ３１５、Ｓ３１９  管理手段、表示制御手段
Ｓ３０８、Ｓ３１４、Ｓ３１６  受付手段
Ｓ３１８                      切替受付手段
Ｓ３２５                      スライド表示制御手段
Ｓ３２４                      ファイル作成手段
Ｓ３２２                      印刷手段
Ｓ３２３                      ファクシミリ送信手段
【図１】
2008301255.tif 000003
【図２】
2008301255.tif 000004
【図３】
2008301255.tif 000005
【図４】
2008301255.tif 000006
【図５】
2008301255.tif 000007
【図６】
2008301255.tif 000008
【図７】
2008301255.tif 000009
【図８】
2008301255.tif 000010
【図９】
2008301255.tif 000011
【図１０】
2008301255.tif 000012